(57)【特許請求の範囲】
【請求項１】
尾骨対向部と、尾骨対向部の前側をなす物品前側部分と、この物品前側部分よりも後側であって尾骨対向部を含む物品後側部分とを有し、
下層吸収部、及びその上に位置する上層吸収部が、それぞれ物品前側部分から物品後側部分にかけて前後方向に延在し、前記下層吸収部は少なくとも上層吸収部側の面から、及び前記上層吸収部は少なくとも下層吸収部側の面から、それぞれ排泄物を吸収するように構成され、
前記上層吸収部は、尾骨対向部の前側をなす上層前側部分と、上層前側部分よりも後側であって尾骨対向部を含む上層後側部分とから構成され、
前記上層前側部分は、幅方向中央に対して左側に位置する左側部分、及び右側に位置する右側部分からなり、これら左側部分の幅方向中央側の側縁及び右側部分の幅方向中央側の側縁の離間部分には、下層吸収部が露出しており、
前記左側部分及び右側部分は、幅方向外側の側縁部が前記下層吸収部の表面に対して固定され、この固定部よりも幅方向中央側の部分では前端部は前記下層吸収部の表面に対して固定されるものの前端部以外の部分は前記下層吸収部の表面に対して固定されていない自由部分とされ、
前記上層吸収部には、先端部弾性伸縮部材が前記上層前側部分の自由部分の幅方向中央側の各縁部に沿い、且つ前記上層後側部分の尾骨対向部から各幅方向外側方向に伸長した状態で固定されており、
前記上層後側部分は前後方向の少なくとも一部が前記下層吸収部の表面に対して固定されている、
ことを特徴とする吸収性物品。
【請求項２】
前記上層吸収部の先端部弾性伸縮部材の幅方向外側には、基端部弾性伸縮部材が前記上層前側部分の先端部弾性伸縮部材に沿い、且つ前記上層後側部分の尾骨対向部で湾曲し各幅方向外側方向に伸長した状態で固定されている、請求項１記載の吸収性物品。
【請求項３】
前記先端部弾性伸縮部材及び前記基端部弾性伸縮部材が、上部シートと下部シートとの間に伸長した状態で固定されている弾性シートである、請求項２記載の吸収性物品。
【請求項４】
前記先端部弾性伸縮部材又は／及び前記基端部弾性伸縮部材が、それぞれ幅方向に間隔をおいて複数本伸張された状態で固定されている、請求項２又は３記載の吸収性物品。
【請求項５】
前記上層吸収部は、上層吸収体と、上層吸収体における下層吸収部側の反対側を覆う液不透過性シートとを有するものである、請求項１〜４のいずれか１項に記載の吸収性物品。
【請求項６】
前記上層前側部分は、前記左側部分の幅方向中央側の側縁及び右側部分の幅方向中央側の側縁が、後端部では一致又は近接するとともに、後端部から前側に向かうにつれて離間距離が拡大しつつ装着者の脚の付け根に沿って鼠径部に達するように形成されており、
前記上層後側部分と前記下層吸収部との間が、前記上層前側部分における左側部分と右側部分との離間部分を入口とするポケットとして構成されている、請求項１〜５のいずれか１項に記載の吸収性物品。
【請求項７】
前記上層吸収部は、前記上層後側部分における仙骨対向部及び尾骨対向部の少なくとも一方の厚みを周囲よりも薄くした、請求項１〜６のいずれか１項に記載の吸収性物品。
【発明の詳細な説明】
【技術分野】
【０００１】
本発明は、臀列の窪み、内腿の窪み及び裏腿の括れに対するフィット性を向上させた吸収性物品に関するものである。
【背景技術】
【０００２】
拘縮等が原因で、寝たきりの人や車いすが手放せない人、自分では体の向きや位置を変えられない人においては、臀部が痩せて臀列の窪みが深くなり、太腿が痩せて内腿の窪み及び裏腿の括れを生ずる。
そのような人が吸収性物品を長時間にわたり装着した場合、臀列の窪み、内腿の窪み及び裏腿の括れから排泄物である尿が外部に漏れ出し、着用者の肌をムレ、かぶれさせる恐れがある。
上記問題を解決するため、特許文献１には、脚周りのフィット性を向上させる立体ギャザーが設けられた吸収性物品の構成が開示されている。
また、特許文献２〜４には、排泄物を保持するポケットが設けられた吸収性物品の構成が開示されている。
【先行技術文献】
【特許文献】
【０００３】
【特許文献１】特開平１１−１８８０５６号公報
【特許文献２】特開２００３−１３５５２２号公報
【特許文献３】特開２００５−２７９００４号公報
【特許文献４】特開２００９−１２５２０３号公報
【発明の概要】
【発明が解決しようとする課題】
【０００４】
しかしながら、特許文献１〜４のものは、足回りのフィット性、大量の排泄物の保持性を向上させたものであるが、臀列の窪み、内腿の窪み及び裏腿の括れに対するフィット性は不十分であり、臀列の窪み、内腿の窪み及び裏腿の括れを伝わり尿が外部に漏れ出すものである。
そこで、本発明の主たる課題は、臀列の窪み、内腿の窪み及び裏腿の括れに対するフィット性に優れる吸収性物品を提供することにある。
【課題を解決するための手段】
【０００５】
上記課題を解決した本発明は次記のとおりである。
＜請求項１記載の発明＞
尾骨対向部と、尾骨対向部の前側をなす物品前側部分と、この物品前側部分よりも後側であって尾骨対向部を含む物品後側部分とを有し、
下層吸収部、及びその上に位置する上層吸収部が、それぞれ物品前側部分から物品後側部分にかけて前後方向に延在し、前記下層吸収部は少なくとも上層吸収部側の面から、及び前記上層吸収部は少なくとも下層吸収部側の面から、それぞれ排泄物を吸収するように構成され、
前記上層吸収部は、尾骨対向部の前側をなす上層前側部分と、上層前側部分よりも後側であって尾骨対向部を含む上層後側部分とから構成され、
前記上層前側部分は、幅方向中央に対して左側に位置する左側部分、及び右側に位置する右側部分からなり、これら左側部分の幅方向中央側の側縁及び右側部分の幅方向中央側の側縁の離間部分には、下層吸収部が露出しており、
前記左側部分及び右側部分は、幅方向外側の側縁部が前記下層吸収部の表面に対して固定され、この固定部よりも幅方向中央側の部分では前端部は前記下層吸収部の表面に対して固定されるものの前端部以外の部分は前記下層吸収部の表面に対して固定されていない自由部分とされ、
前記上層吸収部には、先端部弾性伸縮部材が前記上層前側部分の自由部分の幅方向中央側の各縁部に沿い、且つ前記上層後側部分の尾骨対向部から各幅方向外側方向に伸長した状態で固定されており、
前記上層後側部分は前後方向の少なくとも一部が前記下層吸収部の表面に対して固定されている、
ことを特徴とする吸収性物品。
【０００６】
（作用効果）
請求項１記載の発明によれば、上層吸収部の尾骨対向部よりも前側に位置する上層前側部分は左側部分及び右側部分に分かれており、これら左側部分及び右側部分が先端部弾性伸縮部材の収縮作用により装着者の肌側に盛り上がり、内腿の窪み、裏腿の括れに対してフィットするようになる。
また、上層吸収部のうち、上層前側部分よりも後側であって尾骨対向部を含む上層後側部分が先端部弾性伸縮部材の収縮作用により装着者の肌側に盛り上がり、臀列の深い窪みに対してフィットするようになる。これにより、装着者が吸収性物品を長時間にわたり装着した場合にあっても、臀列の窪みを伝わり外部に漏れ出す尿を防止し装着者の肌のムレ、かぶれを抑制することができる。
【０００７】
＜請求項２記載の発明＞
前記上層吸収部の先端部弾性伸縮部材の幅方向外側には、基端部弾性伸縮部材が前記上層前側部分の先端部弾性伸縮部材に沿い、且つ前記上層後側部分の尾骨対向部で湾曲し各幅方向外側方向に伸長した状態で固定されている、請求項１記載の吸収性物品。
【０００８】
（作用効果）
請求項２記載の発明によれば、上層吸収部の上層前側部分の幅方向中央側の縁部が基端部弾性伸縮部材の収縮作用により装着者の肌側に盛り上がり、内腿の窪みに対してより確実にフィットし、また、上層吸収部の上層後側部分が装着者の臀溝に対向する位置に設けられた基端部弾性伸縮部材の収縮作用により装着者の肌側に盛り上がり、裏腿の括れに対して確実にフィットするようになる。これにより、装着者が吸収性物品を長時間にわたり装着した場合にあっても、内腿の窪み、裏腿の括れを伝わり外部に漏れ出す尿を防止し装着者の肌のムレ、かぶれを抑制することができる。
【０００９】
＜請求項３記載の発明＞
前記先端部弾性伸縮部材及び前記基端部弾性伸縮部材が、上部シートと下部シートとの間に伸長した状態で固定されている弾性シートである、請求項２記載の吸収性物品。
【００１０】
（作用効果）
請求項３記載の発明によれば、上層吸収部の上層吸収体の上面に弾性シートを固定し、上層吸収体と弾性シートとを規定の形状に切断し、上層前側部分の左側部分及び右側部分を形成することができる。これにより、上層前側部分の左側部分及び右側部分が形成された上層吸収部に先端部弾性伸縮部材及び基端部弾性伸縮部材を固定する場合に比較し、上層吸収部の形成を容易に行なうことができる。
【００１１】
＜請求項４記載の発明＞
前記先端部弾性伸縮部材又は／及び前記基端部弾性伸縮部材が、それぞれ幅方向に間隔をおいて複数本伸張された状態で固定されている、請求項２又は３記載の吸収性物品。
【００１２】
（作用効果）
請求項４記載の発明によれば、上層吸収部の上層前側部分及び上層後側部分が複数本の先端部弾性伸縮部材又は／及び基端部弾性伸縮部材の収縮作用により装着者の肌側に盛り上がり、裏腿の括れ、内腿の窪み及び裏腿の括れに対してより確実にフィットする。
【００１３】
＜請求項５記載の発明＞
前記上層吸収部は、上層吸収体と、上層吸収体における下層吸収部側の反対側を覆う液不透過性シートとを有するものである、請求項１〜４のいずれか１項に記載の吸収性物品。
【００１４】
（作用効果）
請求項５記載の発明によれば、上層吸収体における下層吸収部側の反対側の面を覆うように液不透過性シートを設けることにより、ポケット内に導入した排泄物が上層吸収部を介して装着者の肌に逆戻りするのを防止できる。
【００１５】
＜請求項６記載の発明＞
前記上層前側部分は、前記左側部分の幅方向中央側の側縁及び右側部分の幅方向中央側の側縁が、後端部では一致又は近接するとともに、後端部から前側に向かうにつれて離間距離が拡大しつつ装着者の脚の付け根に沿って鼠径部に達するように形成されており、
前記上層後側部分と前記下層吸収部との間が、前記上層前側部分における左側部分と右側部分との離間部分を入口とするポケットとして構成されている、請求項１〜５のいずれか１項に記載の吸収性物品。
【００１６】
（作用効果）
請求項６記載の発明によれば、上層吸収部における左側部分及び右側部分の幅方向中央側の側縁は、後端部では一致又は近接し、後端部から前側に向かうにつれて離間距離が拡大するように形成されており、また、これら左側部分と右側部分との離間部分を入口とするポケットが、上層後側部分と下層吸収部との間に形成される。よって、このポケットの入口縁部は、上層前側部分における左側部分及び右側部分の幅方向中央側の側縁により形成され、その後端部では両側縁が一致又は近接することにより山状をなして肛門又はその近傍にフィットし、後端部から前側では両側縁が装着者の各脚の付け根に沿って鼠径部までフィットするようになる。その結果、股間部においても上層吸収部が身体表面にフィットし、肌を伝う尿もポケットへ導入して、上層吸収部及び下層吸収部の少なくとも一方により吸収することができ、褥瘡が発生し易い尾骨部及び仙骨部の尿汚染を低減することができる。
【００１７】
＜請求項７記載の発明＞
前記上層吸収部は、前記上層後側部分における仙骨対向部及び尾骨対向部の少なくとも一方の厚みを周囲よりも薄くした、請求項１〜６のいずれか１項に記載の吸収性物品。                  
【００１８】
（作用効果）
請求項７記載の発明によれば、上層吸収部を下層吸収部の上に重ねた場合、厚みが増加することにより、身体表面に突出する部分である仙骨や尾骨に対して圧力が集中するおそれがある。上層吸収部の厚みを仙骨対向部や尾骨対向部において周囲よりも薄くすると、仙骨や尾骨に対する圧力集中を軽減することができる。
【発明の効果】
【００１９】
以上のとおり、本発明によれば、臀列の窪み、内腿の窪み及び裏腿の括れに対するフィット性に優れ、仙骨部や尾骨部の尿汚染の防止性能が向上する等の利点がもたらされる。
【図面の簡単な説明】
【００２０】
【図１】吸収パッドの展開状態の内面側を示す平面図である。
【図２】下層吸収部のみを示す平面図である。
【図３】上層吸収部のみを示す一部破断平面図である。
【図４】図１のＸ−Ｘ断面図である。
【図５】図１のＹ−Ｙ断面図である。
【図６】図１のＺ−Ｚ断面図である。
【図７】上層前側部分の盛り上がり状態を示す股間部断面図である。
【図８】吸収性物品の斜視図である。
【図９】弾性シートの一部破断平面図である。
【図１０】離間部形成前の上層吸収体に弾性シートを固定した平面図である。
【図１１】離間部形成前の上層吸収部の一部破断平面図である。
【図１２】離間部形成後の上層吸収部の平面図である。
【図１３】上層前側部分の盛り上がり状態を示す股間部断面図である。
【図１４】股間部に対する上層前側部分のフィット性を説明するための概略図である。
【発明を実施するための形態】
【００２１】
以下、本発明の一実施形態について添付図面を参照しながら詳説する。以下の説明において、「尾骨対向部」、「仙骨対向部」、「股間部」とは、使用時に着用者の尾骨、仙骨、股間と対向する部分を意味し、「左側」、「右側」とは、使用時に着用者から見て左手側、右手側を意味する。また、断面図における点模様及び斜線は、ホットメルト接着剤による接着、あるいは素材の融着により形成される固定部を示している。
【００２２】
図１〜図８は、本発明に係る吸収パッド２００を示している。この吸収パッド２００は、尾骨対向部Ｃと、尾骨対向部Ｃの前側をなす物品前側部分Ｆと、この物品前側部分Ｆよりも後側であって尾骨対向部Ｃを含む物品後側部分Ｂとを有するものである。各部の寸法は適宜定めることができ、例えば、物品全長（前後方向長さ）Ｌ１は３５０〜７００ｍｍ程度、全幅Ｗ１は１３０〜４００ｍｍ程度とすることができ、この場合における前側部分Ｆの前後方向長さは１５０〜４００ｍｍ程度、及び後側部分Ｂの前後方向長さは２００〜３００ｍｍ程度、尾骨対向部Ｃの前後方向長さは４０〜１００ｍｍ程度、とすることができる。
【００２３】
吸収パッド２００は、下層吸収部１０、及びその上に位置する上層吸収部２０が、それぞれ物品前側部分Ｆから物品後側部分Ｂにかけて前後方向に延在しているものである。図示例では、下層吸収部１０及び上層吸収部２０ともに、物品全長全体にわたり設けられているが、いずれか一方を他方より短く、例えば下層吸収部１０よりも上層吸収部２０を短く構成することもできる。
【００２４】
（下層吸収部）
下層吸収部１０は、下層裏面側シート１１の内面と下層表面側シート１３との間に、下層吸収体１４が介在された基本構造を有している。
より詳細には、下層吸収体１４としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、下層吸収体１４はクレープ紙等の液透過性包装シート（図示せず）により包むことができる。
【００２５】
下層吸収体１４における繊維目付け及び高吸収性ポリマーの目付けは適宜定めることができるが、繊維目付けは１００〜６００ｇ／ｍ2程度とするのが好ましく、また吸収性ポリマーの目付けは０〜４００ｇ／ｍ2程度とするのが好ましい。
【００２６】
また、下層吸収体１４の形状は、図示例のように股間部がその前後両側よりも幅の狭い括れ部分１４Ｎとなる形状の他、前側の部分が後側の部分よりも相対的に幅広な帯状、あるいは長方形状、台形状等、適宜の形状とすることができる。下層吸収体１４の寸法は適宜定めることができるが、前後方向長さＬ２は、物品全長Ｌ１の８５〜９５％程度とすることができ、下層吸収体１４の幅Ｗ２は、物品幅Ｗ１の７０〜９５％程度とすることができる。また、括れ部分１４Ｎの最小幅Ｗ４は、下層吸収体幅Ｗ２の３５〜６５％程度であるのが好ましい。また、物品前端を０％とし物品後端を１００％としたとき、括れ部分１４Ｎの前端は１０〜２５％の範囲に位置しているのが好ましく、括れ部分１４Ｎの後端は４０〜６５％の範囲に位置しているのが好ましく、括れ部分１４Ｎの最小幅Ｗ４となる部位（最小幅部位）は２５〜５０％の範囲に位置しているのが好ましい。
【００２７】
下層吸収体１４の裏面側には、下層裏面側シート１１が下層吸収体１４の周縁から食み出るように設けられている。下層裏面側シート１１としては、液不透過性シートの他、製品によっては液透過性シートを用いることもできる。液不透過性シートとしてはポリエチレンフィルム等の樹脂フィルムの他、ムレ防止の点から遮水性を損なわずに透湿性を備えたシートも用いることができる。この遮水・透湿性シートとしては、例えばポリエチレンやポリプロピレン等のオレフィン樹脂中に無機充填材を溶融混練してシートを形成した後、一軸または二軸方向に延伸することにより得られる微多孔性シートの他、不織布にシリコンなどにより撥水処理を施した撥水性不織布を用いることができる。
【００２８】
また、下層裏面側シート１１の外面の一部又は全体は、不織布からなる外装シート１２により覆うことができる。外装シート１２としてはスパンボンド不織布等、公知の不織布を用いることができる。不織布の繊維素材としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２９】
下層吸収体１４の表面側は下層表面側シート１３により覆われている。図示形態では下層表面側シート１３の側縁から下層吸収体１４が一部食み出ているが、下層吸収体１４の側縁が食み出ないように下層表面側シート１３の幅を広げることもできる。下層表面側シート１３としては、有孔または無孔の不織布や穴あきプラスチックシート等の液透過性シートを用いることができ、不織布としてはエアスルー不織布やスパンレース不織布等、公知の不織布を用いることができる。不織布の繊維素材としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３０】
下層表面側シート１３と下層吸収体１４との間には、図示しない中間シートを介在させることができる。この中間シートは、下層吸収体１４により吸収した尿の逆戻りを防止するために設けられるものであり、保水性が低く、且つ透液性の高い素材、例えば嵩の高い不織布、メッシュフィルム等を用いるのが望ましい。下層表面側シート１３の前端を０％とし下層表面側シート１３の後端を１００％としたとき、中間シートの前端は０〜１１％の範囲に位置しているのが好ましく、中間シートの後端は９２〜１００％の範囲に位置しているのが好ましい。また、中間シートの幅は物品幅Ｗ１の３０〜６５％程度であるのが好ましい。
【００３１】
（上層吸収部）
上層吸収部２０は、上層裏面側シート２１と上層表面側シート２３との間に上層吸収体２４が介在された基本構造を有している。
上層裏面側シート２１及び上層表面側シート２３としては、下層表面側シート１３と同様の素材の中から適宜選択することができ、下層表面側シート１３と同一の素材を用いることも、異なる素材を用いることもできる。
【００３２】
また、上層吸収体２４としては、下層吸収体１４と同様の素材の中から適宜選択することができ、下層吸収体１４と同一の素材を用いることも、異なる素材を用いることもできる。上層吸収体２４の幅Ｗ３は、下層吸収体１４の幅Ｗ２よりも狭くするのが好ましく、特に下層吸収体１４の幅Ｗ２の３０〜５０％程度とするのが好ましいが、同じ又はより広くすることもできる。
【００３３】
さらに、図示形態のように、上層吸収体２４と上層表面側シート２３との間に、液不透過性シート２５を介在させると好ましい。これに代えて又はこれとともに、上層表面側シートを液不透過性シートで構成することもできる。これらの場合における液不透過性シート２５としては、下層裏面側シート１２と同様の素材の中から適宜選択することができ、下層裏面側シート１２と同一の素材を用いることも、異なる素材を用いることもできる。
【００３４】
上層吸収部２０の前後端部は、上層裏面側シート２１及び上層表面側シート２３が上層吸収体２４の前後端よりも前後両側にそれぞれ延出して貼り合わされることにより形成されており、一方、下層吸収部１０の前後端部は、下層裏面側シート１１、外装シート１２および下層表面側シート１３が下層吸収体１４の前後端よりも前後両側にそれぞれ延在されて貼り合わされることにより形成されており、吸収性物品２００の前後端部には、これら下層吸収部１０の前後端部と上層吸収部２０の前後端部とが貼りあわされて形成された、上層吸収体２４及び下層吸収体１４の無いエンドフラップ部ＥＦとなっている。
【００３５】
また、上層吸収部２０の両側部は、上層裏面側シート２１及び上層表面側シート２３が上層吸収体２４の両側縁よりも側方にそれぞれ延出して貼り合わされることにより形成されており、一方、下層吸収部１０の両側部は、下層裏面側シート１１、外装シート１２および下層表面側シート１３が下層吸収体１４の両側縁よりも側方にそれぞれ延在されて貼り合わされることにより形成されており、吸収性物品２００の両側部には、これら下層吸収部１０の両側部と上層吸収部２０の両側部とが貼りあわされて形成された、上層吸収体２４及び下層吸収体１４の無いサイドフラップ部ＳＦとなっている。
【００３６】
特徴的には、上層吸収部２０は、尾骨対向部ＴＰの前側をなす上層前側部分２０Ｆと、上層前側部分２０Ｆよりも後側であって尾骨対向部ＴＰを含む上層後側部分２０Ｂとから構成されており、図示例では、上層前側部分２０Ｆの前端部は物品前端部まで達しており、後端部は物品後端部まで達している。
【００３７】
このうち、上層前側部分２０Ｆは、幅方向中央に対して左側に位置する左側部分３０、及び右側に位置する右側部分４０から構成されている。これら左側部分３０の幅方向中央側の側縁及び右側部分４０の幅方向中央側の側縁は、後端部では一致又は近接するとともに、後端部から前側に向かうにつれて離間距離が拡大しつつ装着者の脚の付け根に沿って鼠径部に達するように形成されており、これら左側部分３０の幅方向中央側の側縁及び右側部分４０の幅方向中央側の側縁の離間部分には、下層吸収部１０が露出している。これら左側部分３０及び右側部分４０の幅方向中央側の各側縁は、図示例では直線状をなしている（両側縁がＶ字状をなしている）が、曲線状をなしていても良い。これら側縁の交差角（内角）θは適宜定めることができるが、２０〜５０度程度が好適である。
【００３８】
また、上層前側部分２０Ｆの左側部分３０及び右側部分４０は、幅方向外側の側縁部３１，４１が下層吸収部１０の表面に対して固定され、この固定部３１，４１よりも幅方向中央側の部分では前端部３２，４２は固定されるものの前端部以外の部分３３，４３は下層吸収部１０の表面に対して固定されていない自由部分とされている。固定部３１，４１の幅方向中央側の側縁は、図示例のように、上層吸収体２４の幅方向外側の側縁より幅方向中央側に位置しているのが好ましいが、上層吸収体２４の幅方向外側の側縁と同じか又はより幅方向外側に位置させることも可能である。この固定部３１，４１は、ホットメルト接着剤による接着、あるいは素材の融着により形成することができる。
【００３９】
上層吸収部２０には、上層前側部分２０Ｆの左側部分３０の自由部分３３の幅方向中央側の縁部に沿って上層後側部分２０Ｂの尾骨対向部ＴＰまで延在し、そして上層後側部分２０Ｂの尾骨対向部ＴＰから上層後側部分２０Ｂの幅方向左側に向かって延在する先端部弾性伸縮部材３５が伸長した状態でホットメルト接着剤等により固定されている。同様に、上層吸収部２０には、上層前側部分２０Ｆの右側部分４０の自由部分４３の幅方向中央側の縁部に沿って上層後側部分２０Ｂの尾骨対向部ＴＰまで延在し、そして上層後側部分２０Ｂの尾骨対向部ＴＰから上層後側部分２０Ｂの幅方向右側方向に向かって延在する先端部弾性伸縮部材４５が伸長した状態でホットメルト接着剤等により固定されている。
なお、装着者の体型によっても異なるが、先端部弾性伸縮部材３５と先端部弾性伸縮部材４５の対向角度（θ１）は、１５〜３０度程度が好適である。
【００４０】
上層後側部分２０Ｂに固定された先端部弾性伸縮部材３５，４５は、それぞれ装着者の臀部の臀烈に対応する位置に設けられており、先端部弾性伸縮部材３５，４５の収縮作用により先端部弾性伸縮部材３５，４５の間に位置する上層後側部分２０Ｂの部位が装着者の身体面に向かって凸状に盛り上がり、装着者の臀部の臀烈の窪みに上層後側部分２０Ｂを確実にフィットさせる。
また、装着時に上層後側部分２０Ｂの身体面に向かって凸状に盛り上がった部位を基準に装着することにより、吸収パッド２００を適正な位置に装着することができる。
【００４１】
図示例においては、それぞれ１本の先端部弾性伸縮部材３５，４５が設けられているが、一定の間隔をおいて複数本の先端部弾性伸縮部材３５，４５を設けることもできる。
先端部弾性伸縮部材３５，４５としては、糸状、紐状、帯状等に形成された、スチレン系ゴム、オレフィン系ゴム、ウレタン系ゴム、エステル系ゴム等を用いることができる。
なお、図示例では、左側部分３０及び右側部分４０の幅方向中央側の縁部における上層吸収体２４の無い縁部に設けられているが、上層吸収体２４の幅方向中央側の端部の表面側又は裏面側に設けることもできる。
【００４２】
上層吸収部２０の先端部弾性伸縮部材３５の幅方向外側には、上層前側部分２０Ｆの自由部分３３に位置する先端部弾性伸縮部材３５に沿って上層後側部分２０Ｂの尾骨対向部ＴＰまで延在し、そして上層後側部分２０Ｂの尾骨対向部ＴＰでくの字状に湾曲し上層後側部分２０Ｂの幅方向左側に向かって延在する基端部弾性伸縮部材３６が伸長した状態でホットメルト接着剤等により固定されている。同様に、上層吸収部２０の先端部弾性伸縮部材４５の幅方向外側には、上層前側部分２０Ｆの自由部分３３に位置する先端部弾性伸縮部材４５に沿って上層後側部分２０Ｂの尾骨対向部ＴＰまで延在し、そして上層後側部分２０Ｂの尾骨対向部ＴＰで逆くの字状に湾曲し上層後側部分２０Ｂの幅方向右側に向かって延在する基端部弾性伸縮部材４６が伸長した状態でホットメルト接着剤等により固定されている。
なお、装着者の体型によっても異なるが、基端部弾性伸縮部材３６及び先端部弾性伸縮部材４６の湾曲角度（θ２）は、１１０〜１４０度程度が好適である。
【００４３】
上層前側部分２０Ｆの自由部分３３に固定された基端部弾性伸縮部材３６，４６は、それぞれ装着者の内腿に対応する位置に設けられており、基端部弾性伸縮部材３６，４６の収縮作用により上層前側部分２０Ｆを装着者の身体面に向かって凸状に盛り上げ、装着者の内腿の窪みに上層前側部分２０Ｆを確実にフィットさせる。
同様に、上層後側部分２０Ｂに固定された基端部弾性伸縮部材３６，４６は、それぞれ装着者の裏腿に対応する位置に設けられており、基端部弾性伸縮部材３６，４６の収縮作用により上層後側部分２０Ｂを装着者の身体面に向かって凸状に盛り上げ、装着者の裏腿の括れに上層後側部分２０Ｂを確実にフィットさせる。
【００４４】
図示例においては、それぞれ１本の基端部弾性伸縮部材３６，４６が設けられているが、一定の間隔をおいて複数本の基端部弾性伸縮部材３６，４６を設けることもできる。
基端部弾性伸縮部材３６，４６としては、糸状、紐状、帯状等に形成された、スチレン系ゴム、オレフィン系ゴム、ウレタン系ゴム、エステル系ゴム等を用いることができる。
なお、図示例では、左側部分３０及び右側部分４０の幅方向中央側の縁部における上層吸収体２４の無い縁部に設けられているが、上層吸収体２４の幅方向中央側の端部の表面側又は裏面側に設けることもできる。
【００４５】
一方、上層後側部分２０Ｂは、両側部３７及び後端部３８が下層吸収部１０の表面に固定され、これら固定部３７，３８により囲まれる部分は非固定とされており、この非固定の部分と下層吸収部１０との間が、上層前側部分２０Ｆにおける左側部分３０と右側部分４０との離間部分を入口とするポケット５０として構成されている。上層後側部分２０Ｂの固定部も、ホットメルト接着剤による接着、あるいは素材の融着により形成することができ、特に、両側部の固定部３７は上層前側部分２０Ｆの左右両側の固定部３１，４１とそれぞれ連続するように形成するのが望ましい。
【００４６】
以上のように構成された吸収性物品においては、図７及び図８に示すように、上層前側部分２０Ｆにおける左側部分３０及び右側部分４０が先端部弾性伸縮部材３５，４５の収縮作用により装着者の肌側に盛り上がるとともに、その間の離間部分が上層後側部分２０Ｂと下層吸収部１０との間に形成されるポケット５０の入口となる。そして、このポケット５０の入口縁部は、上層前側部分２０Ｆの後端部では両側縁が一致又は近接することにより山状をなして肛門又はその近傍にフィットし、上層前側部分２０Ｆの後端部から前側では両側縁が装着者の各脚の付け根に沿って鼠径部までフィットするようになる。その結果、股間部においても上層吸収部２０が身体表面にフィットし、肌を伝う尿もポケット５０へ導入して、上層吸収部２０及び下層吸収部１０の少なくとも一方により吸収することができ、尾骨部及び仙骨部の尿汚染を低減することができる。
【００４７】
特に、図示形態の場合、上層前側部分２０Ｆの左側部分３０及び右側部分４０は、幅方向外側から中央側に向かうほど傾きが減少するように（換言すれば、身体側面が膨出するように）弓なりとなっていると、図７及び図８に示すように、上層前側部分２０Ｆの左側部分３０及び右側部分４０が山状に隆起し、図１４に模式的に示すように、脚１００の内腿内側の窪み１０１、内腿外側の窪み１０２及び裏腿の括れ１０３に対するフィット性が向上するため好ましい。なお、図中の符号ＵＰは排尿口の位置を示し、符号ＡＰは肛門の位置を示している。
【００４８】
また、図示例のように、上層吸収体２４における下層吸収部１０側の反対側の面を覆うように液不透過性シート２５を設けると、ポケット５０内に導入した排泄物が上層吸収部２０を介して装着者の肌に逆戻りするのを防止できるようになり、尾骨部及び仙骨部の尿汚染を低減する効果がより一層のものとなる。
【００４９】
＜その他＞
（イ）図９〜図１２に示すように、先端部弾性伸縮部材３５，４５及び基端部弾性伸縮部材３６，４６を上部シート６１と下部シート６２との間に伸張した状態で固定した弾性シート６０を製作し、上層吸収部２０の上層吸収体２４の上面に弾性シート６０を固定する。  なお、上部シート６１及び下部シート６２としては、上層表面側シート２３と同様の素材の中から適宜選択することができ、上層表面側シート２３と同一の素材を用いることも、異なる素材を用いることもできる。
次に、上層吸収体２４と弾性シート６０とを上層裏面側シート２１と上層表面側シート２３との間に介在させ固定し、上層吸収部２０の上層前側部分２０Ｆの離間部を切断し、上層前側部分２０Ｆの左側部分３０及び右側部分４０を形成する製造方法によれば、離間部が切断された上層吸収体２４の上面に先端部弾性伸縮部材３５，４５及び基端部弾性伸縮部材３６，４６を配置する製造方法に比較して吸収パッド２００を製造時間が短縮でき、先端部弾性伸縮部材３５，４５及び基端部弾性伸縮部材３６，４６の配置精度も高めることができる。
（ロ）図１３に示すように、上層前側部分２０Ｆの左側部分３０及び右側部分４０における先端部弾性伸縮部材３５，４５は、幅方向に間隔を空けて且つ幅方向中央側のものほど高い伸長率となるように複数本設けるのも好ましい形態である。これにより、上層前側部分２０Ｆの左側部分３０及び右側部分４０は、幅方向外側から中央側に向かうほど傾きが増加するように（換言すれば、下層吸収部１０側面が膨出するように）反り上がり、肛門又はその近傍に対するフィット性が顕著に向上し、脚の付け根に対しても線状ではあるが好適にフィットするようになる。
（ハ）上層吸収部２０を下層吸収部１０の上に重ねた場合、厚みが増加することにより、身体表面に突出する部分である仙骨や尾骨に対して圧力が集中し、褥瘡防止の観点からは好ましくはない。よって、上層吸収部２０の厚みを尾骨対向部ＴＰにおいて周囲よりも薄くし、尾骨に対する圧力集中を軽減するのは好ましい。具体的には、上層吸収体２４における尾骨対向部ＴＰに、エンボス加工による凹部を設けたり、素材の目付けを局所的に少なくして薄肉としたり、打ち抜き加工や成形により貫通孔を設けたりするといった手法により、上層吸収部２０の尾骨対向部ＴＰを周囲よりも薄くすることができる。なお、尾骨対向部ＴＰに代えて又はこれとともに、仙骨対向部においても上層吸収部２０の厚みを周囲より薄くすることができる。また、上層吸収部２０のみならず下層吸収部１０についても同部位の厚みを薄くすることができる。
【産業上の利用可能性】
【００５０】
本発明は、吸収パッド、パンツタイプ若しくはテープタイプ使い捨ておむつ等、吸収性物品全般に利用できるものである。
【符号の説明】
【００５１】
１０  下層吸収部
１１  下層裏面側シート
１２  外装シート
１３  下層表面側シート
１４  下層吸収体
２０  上層吸収部
２１  上層裏面側シート
２３  上層表面側シート、
２４  上層吸収体
２５  液不透過性シート
３０  左側部分
３３  自由部分
３５  先端部弾性伸縮部材
３６  基端部弾性伸縮部材
４０  右側部分
４５  先端部弾性伸縮部材
４６  基端部弾性伸縮部材
５０  ポケット
６０  弾性シート
６１  上部シート
６２  下部シート
【図１】
0005710924.tif 000002
【図２】
0005710924.tif 000003
【図３】
0005710924.tif 000004
【図４】
0005710924.tif 000005
【図５】
0005710924.tif 000006
【図６】
0005710924.tif 000007
【図７】
0005710924.tif 000008
【図８】
0005710924.tif 000009
【図９】
0005710924.tif 000010
【図１０】
0005710924.tif 000011
【図１１】
0005710924.tif 000012
【図１２】
0005710924.tif 000013
【図１３】
0005710924.tif 000014
【図１４】
0005710924.tif 000015